(57)【要約】【課題】  無線ＬＡＮスポットの利用促進の効果を高めることができるコンテンツ配信システムを提供する。【解決手段】  アクセスポイント装置４が情報端末５から受信した端末識別ＩＤとアクセスポイントＩＤをコンテンツ配信サーバ１に送信し、マッチングサーバ３がユーザプロファイル情報と配信先プロファイル情報との比較に基づいて、情報端末５へ配信するコンテンツの情報の特定を行なう。そしてコンテンツ配信サーバ１が、特定されたコンテンツの情報をアクセスポイント装置４から受信したアクセスポイントＩＤに基いて配信する。【選択図】    図１
2005174106.tif 000002
【特許請求の範囲】
【請求項１】
無線ＬＡＮスポットのサービスを提供するエリアごとに設置されたアクセスポイント装置と、ユーザの保持する情報端末にコンテンツの情報の配信を行なうコンテンツ配信装置とを備えたコンテンツ配信システムであって、
前記アクセスポイント装置が、
当該アクセスポイント装置の識別情報を記憶するアクセスポイント識別情報記憶手段と、
前記情報端末から受信した端末識別情報と前記アクセスポイント識別情報を前記コンテンツ配信装置に送信するコンテンツ配信要求手段とを備え、
前記コンテンツ配信装置が、
各情報端末の端末識別情報に対応付けて、それぞれの情報端末を保持する前記ユーザの属性を示すユーザプロファイル情報を記憶するユーザプロファイル情報記憶手段と、
コンテンツの情報と当該コンテンツの情報のコンテンツ提供主が希望するコンテンツ配信先の属性とを対応付けた配信先プロファイル情報を記憶する配信先プロファイル情報記憶手段と、
前記アクセスポイント装置から受信した端末識別情報に対応付けられて前記ユーザプロファイル情報記憶手段に記録されている前記ユーザプロファイル情報と前記アクセスポイント装置から受信したアクセスポイント識別情報に対応付けられて前記配信先プロファイル情報記憶手段に記録されている前記配信先プロファイル情報との比較に基づいて、前記情報端末へ配信するコンテンツの情報の特定を行なう配信コンテンツ特定手段と、
特定されたコンテンツの情報を前記アクセスポイント装置から受信したアクセスポイント識別情報に基いて配信するコンテンツ配信手段と、
を備えることを特徴とするコンテンツ配信システム。
【請求項２】
前記ユーザプロファイル情報にはユーザの希望するコンテンツの情報のカテゴリが記録され、
前記配信先プロファイル情報にはコンテンツ提供主が配信を希望するコンテンツの情報のカテゴリと当該コンテンツの情報が記録され、
前記配信コンテンツ特定手段は、
前記ユーザプロファイル情報と前記配信先プロファイル情報とにそれぞれ記録されているカテゴリが一致した場合に、前記配信先プロファイル情報に記録されているコンテンツの情報を、前記情報端末へ配信するコンテンツの情報と特定する
ことを特徴とする請求項１に記載のコンテンツ配信システム。
【請求項３】
前記配信先プロファイル情報にはコンテンツの情報と当該コンテンツの情報を優先配信するか否かの情報が記録され、
前記配信コンテンツ特定手段は、前記配信先プロファイル情報にコンテンツの情報の優先配信をする旨の情報が記録されている場合には、前記配信先プロファイルに記録されている前記コンテンツの情報を優先的に配信するコンテンツの情報と特定する
ことを特徴とする請求項１または請求項２に記載のコンテンツ配信システム。
【請求項４】
前記情報端末をさらに備え、当該情報端末が、
コンテンツ受信音を記憶する受信音記憶手段と、
前記コンテンツの情報の受信検知手段と、
前記コンテンツ受信検知手段が前記コンテンツの情報の受信を検知した際に、前記受信音記憶手段に記録されたコンテンツ受信音を発する受信音発信手段と、
を備えることを特徴とする請求項１から請求項３のいずれかに記載のコンテンツ配信システム。
【請求項５】
無線ＬＡＮスポットのサービスを提供するエリアごとに設置されたアクセスポイント装置と、ユーザの保持する情報端末にコンテンツの情報の配信を行なうコンテンツ配信装置とを備えたコンテンツ配信方法であって、
前記アクセスポイント装置が、当該アクセスポイント装置の識別情報をアクセスポイント識別情報記憶手段に記憶し、
前記アクセスポイント装置が、前記情報端末から受信した端末識別情報と前記アクセスポイント識別情報を前記コンテンツ配信装置に送信し、
前記コンテンツ配信装置が、各情報端末の端末識別情報に対応付けて、それぞれの情報端末を保持する前記ユーザの属性を示すユーザプロファイル情報をユーザプロファイル情報記憶手段に記憶し、
前記アクセスポイント装置が、コンテンツの情報と当該コンテンツの情報のコンテンツ提供主が希望するコンテンツ配信先の属性とを対応付けた配信先プロファイル情報を配信先プロファイル情報記憶手段に記憶し、
前記アクセスポイント装置が、前記アクセスポイント装置から受信した端末識別情報に対応付けられて前記ユーザプロファイル情報記憶手段に記録されている前記ユーザプロファイル情報と前記アクセスポイント装置から受信したアクセスポイント識別情報に対応付けられて前記配信先プロファイル情報記憶手段に記録されている前記配信先プロファイル情報との比較に基づいて、前記情報端末へ配信するコンテンツの情報の特定を行ない、
前記アクセスポイント装置が、特定されたコンテンツの情報を前記アクセスポイント装置から受信したアクセスポイント識別情報に基いて配信する
ことを特徴とするコンテンツ配信方法。
【発明の詳細な説明】
【技術分野】
【０００１】
本発明は、情報端末にコンテンツの情報を配信するコンテンツ配信システムおよびコンテンツ配信方法に関する。
【背景技術】
【０００２】
従来、無線通信機を備えたＰＣやＰＤＡなどの情報端末にコンテンツの情報を無線配信することで、各店舗の情報などをタイムリーに前記ＰＣやＰＤＡなどを携帯するユーザに通知する技術が提案されている（例えば、特許文献１参照）。また、従来、インターネット網への接続ポイントを公共の場で提供するサービス（以降無線ＬＡＮスポットのサービスと呼ぶ）が行なわれている。この無線ＬＡＮスポットのサービスは一般的にはインターネット網に接続されたアクセスポイント装置が備えられており、当該アクセスポイント装置が上述のような情報端末と無線通信によりによりデータを送受信してインターネットへの情報端末の接続を可能としている。そしてこのような無線ＬＡＮスポットのサービスにおいて、上述のようなコンテンツ配信の技術を用いて情報端末にコンテンツの情報を配信するサービスが実施されている。
【特許文献１】特開２００３−９１４７５号公報
【発明の開示】
【発明が解決しようとする課題】
【０００３】
ここで近年、無線ＬＡＮスポットサービスの提供がされた店舗やエリアが多くなっているが、会社や自宅でインターネットが容易に利用できるようになった今日においては、わざわざ無線ＬＡＮスポットまで出向いて情報端末を用いてインターネットにを利用することを行なうユーザが少なく、無線ＬＡＮスポットがあまり利用されていなかった。
【０００４】
そこでこの発明は、上述のようなコンテンツの情報の配信を行なうだけでなく、より無線ＬＡＮスポットの利用促進の効果を高めることができるコンテンツ配信システム及びコンテンツ配信方法を提供することを目的としている。
【課題を解決するための手段】
【０００５】
本発明は、上述の課題を解決すべくなされたもので、無線ＬＡＮスポットのサービスを提供するエリアごとに設置されたアクセスポイント装置と、ユーザの保持する情報端末にコンテンツの配信を行なうコンテンツ配信装置とを備えたコンテンツ配信システムであって、前記アクセスポイント装置が、当該アクセスポイント装置の識別情報を記憶するアクセスポイント識別情報記憶手段と、前記情報端末から受信した端末識別情報と前記アクセスポイント識別情報を前記コンテンツ配信装置に送信するコンテンツ配信要求手段とを備え、前記コンテンツ配信装置が、各情報端末の端末識別情報に対応付けて、それぞれの情報端末を保持する前記ユーザの属性を示すユーザプロファイル情報を記憶するユーザプロファイル情報記憶手段と、コンテンツ情報と当該コンテンツ情報のコンテンツ提供主が希望するコンテンツ配信先の属性とを対応付けた配信先プロファイル情報を記憶する配信先プロファイル情報記憶手段と、前記アクセスポイント装置から受信した端末識別情報に対応付けられて前記ユーザプロファイル情報記憶手段に記録されている前記ユーザプロファイル情報と前記アクセスポイント装置から受信したアクセスポイント識別情報に対応付けられて前記配信先プロファイル情報記憶手段に記録されている前記配信先プロファイル情報との比較に基づいて、前記情報端末へ配信するコンテンツ情報の特定を行なう配信コンテンツ特定手段と、特定されたコンテンツ情報を前記アクセスポイント装置から受信したアクセスポイント識別情報に基いて配信するコンテンツ配信手段とを備えることを特徴とするコンテンツ配信システムである。
【０００６】
また本発明は、前記ユーザプロファイル情報にはユーザの希望するコンテンツのカテゴリが記録され、前記配信先プロファイル情報にはコンテンツ提供主が配信を希望するコンテンツのカテゴリと当該コンテンツの情報が記録され、前記配信コンテンツ特定手段が、前記ユーザプロファイル情報と前記配信先プロファイル情報とにそれぞれ記録されているカテゴリが一致した場合に、前記配信先プロファイル情報に記録されているコンテンツの情報を、前記情報端末へ配信するコンテンツ情報と特定することを特徴とする。
【０００７】
また本発明は、前記配信先プロファイル情報にはコンテンツ情報と当該コンテンツを優先配信するか否かの情報が記録され、前記配信コンテンツ特定手段は、前記配信先プロファイル情報にコンテンツの優先配信をする旨の情報が記録されている場合には、前記配信先プロファイルに記録されている前記コンテンツ情報を優先的に配信するコンテンツと特定することを特徴とする。
【０００８】
また本発明は、コンテンツ配信システム、前記情報端末をさらに備え、当該情報端末が、コンテンツ受信音を記憶する受信音記憶手段と、前記コンテンツ情報を受信検知手段と、前記コンテンツ受信検知手段が前記コンテンツの受信を検知した際に、前記受信音記憶手段に記録されたコンテンツ受信音を発する受信音発信手段とを備えることを特徴とする。
【０００９】
また本発明は、無線ＬＡＮスポットのサービスを提供するエリアごとに設置されたアクセスポイント装置と、ユーザの保持する情報端末にコンテンツの配信を行なうコンテンツ配信装置とを備えたコンテンツ配信方法であって、前記アクセスポイント装置が、当該アクセスポイント装置の識別情報をアクセスポイント識別情報記憶手段に記憶し、前記アクセスポイント装置が、前記情報端末から受信した端末識別情報と前記アクセスポイント識別情報を前記コンテンツ配信装置に送信し、前記コンテンツ配信装置が、各情報端末の端末識別情報に対応付けて、それぞれの情報端末を保持する前記ユーザの属性を示すユーザプロファイル情報をユーザプロファイル情報記憶手段に記憶し、前記アクセスポイント装置が、コンテンツ情報と当該コンテンツ情報のコンテンツ提供主が希望するコンテンツ配信先の属性とを対応付けた配信先プロファイル情報を配信先プロファイル情報記憶手段に記憶し、前記アクセスポイント装置が、前記アクセスポイント装置から受信した端末識別情報に対応付けられて前記ユーザプロファイル情報記憶手段に記録されている前記ユーザプロファイル情報と前記アクセスポイント装置から受信したアクセスポイント識別情報に対応付けられて前記配信先プロファイル情報記憶手段に記録されている前記配信先プロファイル情報との比較に基づいて、前記情報端末へ配信するコンテンツ情報の特定を行ない、前記アクセスポイント装置が、特定されたコンテンツ情報を前記アクセスポイント装置から受信したアクセスポイント識別情報に基いて配信することを特徴とするコンテンツ配信方法である。
【発明の効果】
【００１０】
本発明によれば、アクセスポイント装置が、端末識別情報とアクセスポイント識別情報をコンテンツ配信装置に送信し、コンテンツ配信装置が、アクセスポイント装置から受信した端末識別情報に対応付けられてユーザプロファイル情報記憶手段に記録されているユーザプロファイル情報とアクセスポイント装置から受信したアクセスポイント識別情報に対応付けられて配信先プロファイル情報記憶手段に記録されている配信先プロファイル情報との比較に基づいて、情報端末へ配信するコンテンツの情報の特定を行なう。そして。、コンテンツ配信装置は特定されたコンテンツの情報をアクセスポイント装置から受信したアクセスポイント識別情報に基いて配信する。
これにより、コンテンツの情報がアクセスポイント装置の備えられた無線ＬＡＮスポットに関連のあるコンテンツの情報であり、かつ有用なコンテンツの情報（例えばクーポン券など）であれば、ユーザがコンテンツの情報を得るために無線ＬＡＮスポットに集まることとなるので、ユーザが今まで以上に無線ＬＡＮスポットを利用する契機となり、無線ＬＡＮスポットの利用促進を図ることが出来る。
【００１１】
また本発明によれば、ユーザプロファイル情報にはユーザの希望するコンテンツの情報のカテゴリが記録され、配信先プロファイル情報にはコンテンツ提供主が配信を希望するコンテンツの情報のカテゴリと当該コンテンツの情報が記録され、配信コンテンツ特定手段は、ユーザプロファイル情報と配信先プロファイル情報とにそれぞれ記録されているカテゴリが一致した場合に、配信先プロファイル情報に記録されているコンテンツの情報を、情報端末へ配信するコンテンツの情報と特定する。
これにより、ユーザは無線ＬＡＮスポットにいくことで、興味のある情報を得ることが出来るので、ユーザが今まで以上に無線ＬＡＮスポットを利用する契機となり、無線ＬＡＮスポットの利用促進を図ることが出来る。さらに、コンテンツ提供主にとっては、ユーザに対して配信したいと希望するコンテンツの情報を送信できるので、例えばコンテンツの情報が新商品の情報などであれば、配信するコンテンツの情報で宣伝を行なうことができる。
【００１２】
また本発明によれば、配信先プロファイル情報にはコンテンツの情報と当該コンテンツの情報を優先配信するか否かの情報が記録され、配信コンテンツ特定手段は、配信先プロファイル情報にコンテンツの情報の優先配信をする旨の情報が記録されている場合には、配信先プロファイルに記録されているコンテンツの情報を優先的に配信する。
これにより、コンテンツの情報の優先配信をすることができるので、例えばコンテンツの情報をクーポン券などとした場合には、ユーザがコンテンツの情報を受信したいか否かの意思に係わらず、無線ＬＡＮスポットのサービスを備えた店舗で販売商品の販促を行うことが出来る。
【００１３】
また本発明によれば、情報端末において、受信音記憶手段がコンテンツ受信音を記憶し、受信検知手段がコンテンツの情報の受信検知を行ない、受信音発信手段がコンテンツ受信検知手段がコンテンツの情報の受信を検知した際に、受信音記憶手段に記録されたコンテンツ受信音を発する。受信音記憶手段に記憶させる受信音データを、特定の対象をイメージするような受信音のデータにしておけば、広告などに利用することができる。
【発明を実施するための最良の形態】
【００１４】
以下、本発明の一実施形態によるコンテンツ配信システムを図面を参照して説明する。図１は同実施形態のコンテンツ配信システムの概略を示すブロック図である。この図において、符号１はユーザの保持する情報端末５にコンテンツの情報を配信するコンテンツ配信サーバである。また２はユーザの属性を示すユーザプロファイルを記憶するユーザプロファイルサーバである。また３はマッチングサーバである。また４は無線ＬＡＮスポットに設置され、無線通信により情報端末５とデータの送受信を行なうアクセスポイント装置である。また５はユーザの保持する情報端末である。ここで、アクセスポイント装置４とコンテンツ配信サーバ１とは通信ネットワークを介して接続されている。そしてコンテンツ配信サーバ１とユーザプロファイルサーバ２とマッチングサーバ３とでコンテンツ配信装置を構成している。なお、コンテンツ配信装置においてはサーバの数やその構成はこれに限らず、例えば、上述の３つのサーバの処理を１つのサーバで処理するようにしても良い。
【００１５】
そして、コンテンツ配信サーバ１において符号１１はコンテンツの情報の配信処理を行なうコンテンツ配信処理部（コンテンツ配信手段）である。また１２はコンテンツ提供主が希望するコンテンツの情報の配信先の属性を示す配信先プロファイルを記憶する配信先プロファイル記憶部（配信先プロファイル情報記憶手段）である。また１３はコンテンツの情報を記憶するコンテンツ記憶部である。またユーザプロファイルサーバ２において、２１は前記ユーザプロファイルを記憶するユーザプロファイル記憶部（ユーザプロファイル情報記憶手段）である。またマッチングサーバ３において、３１はユーザプロファイルと配信先プロファイルとを比較して情報端末５に配信するコンテンツの情報を決定するプロファイルマッチング処理部（配信コンテンツ特定手段）である。
【００１６】
またアクセスポイント装置４において、４１は情報端末５と無線通信によりデータの送受信を行なう無線通信処理部である。また４２はコンテンツ配信サーバに対してコンテンツ配信の要求を行なうコンテンツ配信要求部（コンテンツ配信要求手段）である。また４３は情報端末５からの接続要求を検知して、情報端末５との無線通信の接続を確立する接続要求検知部である。また４４はアクセスポイント装置４に固有のアクセスポイントＩＤを記憶するアクセスポイントＩＤ記憶部（アクセスポイント識別情報記憶手段）である。
【００１７】
また情報端末５において、５１はアクセスポイント装置４と無線通信によりデータの送受信を行なう無線通信部である。また５２はコンテンツの情報の受信をしたときに受信音を発する受信音発信部である。また５３は受信音発信部が発する受信音データを記憶する受信音記憶部である。また５４は受信したコンテンツの情報を記憶するコンテンツ情報記憶部である。
【００１８】
図２はコンテンツ配信システムにおける処理の概要を示す図である。
この図が示すように、まずユーザは情報端末５などからユーザプロファイルの登録を行なう（１）。なお、このユーザプロファイルの登録は情報端末５だけでなく自宅のＰＣなどからもインターネットを介してコンテンツ配信サーバにアクセスすることにより行うことが出来る。ユーザプロファイルで示されるユーザの属性は、例えば、ユーザの性別や出身地、またユーザが興味のあるコンテンツの情報のカテゴリ（占い、Ｂｏｏｋ、天気、ニュース等）やクーポンの情報を受け付けるか否かの情報などである。そしてユーザプロファイルの登録が終了すると、コンテンツ配信サーバ１は情報端末５にコンテンツの情報の閲覧用アプリケーションプログラムを配信する。
【００１９】
またコンテンツ提供主はコンテンツの情報の登録やコンテンツ配信先を示す配信先プロファイルの登録をＰＣなどの端末を用いてコンテンツ配信サーバに行なう（２）。このコンテンツの情報や配信先プロファイルの登録はコンテンツ配信サーバ１の管理者が行うようにしても良い。配信先プロファイルで示される配信先の属性は、例えば、コンテンツ提供主が希望する配信先ユーザの出身地や性別やエリア（店舗など）や、また、配信先が特定のエリアなどである場合に優先的にコンテンツの情報を送信するか否かの情報等である。
【００２０】
そして、ユーザが情報端末５を無線ＬＡＮスポットのエリア内に持ち込むと、情報端末５とアクセスポイント装置４とが無線通信によりアクセスを行ない（３）、アクセスポイント装置４がコンテンツの情報の配信要求をコンテンツ配信サーバに行なう（４）。そして、コンテンツ配信サーバ群の各サーバにおいて後述する配信するコンテンツの情報の特定の処理が行なわれ、特定されたコンテンツの情報がアクセスポイント装置４を介して（５）情報端末５に送信される（６）。情報端末５はコンテンツ閲覧用のアプリケーションプログラムの機能により、受信したコンテンツの情報を表示する。そして、コンテンツの情報が例えば店舗で販売される商品の割引クーポンであれば、ユーザはコンテンツの情報の閲覧用アプリケーションプログラムによって情報端末５の表示部に表示される画面を操作して、情報端末５に割引クーポンを表示させ、商品の割引を受ける（７）。ここでコンテンツ提供主は、例えば無線ＬＡＮスポットを設置した店舗である場合や、コンテンツの情報が広告情報である場合にはその広告情報の広告主や、またコンテンツの情報の作成業者である。
【００２１】
次に、ユーザプロファイル記憶部２１に記録されるユーザプロファイルのデータ構成について説明する。図３はユーザプロファイルのデータ構成を示す図である。この図が示すように、ユーザプロファイル記憶部２１はユーザが保持する情報端末５の端末ＩＤに対応付けて、当該情報端末５を保持するユーザの性別、出身地、ユーザが興味のあるコンテンツの情報のカテゴリやクーポンを受け付けるか否かなどの情報を記憶している。ここでユーザプロファイルのデータにおいて、性別は男女の別を「０」または「１」フラグの別によって示し、また、出身地は番号毎に都道府県が決定されている。またユーザの興味のあるコンテンツの情報のカテゴリか否かはフラグが「１」にであれば興味があるということを示している。またクーポン受け付けのフラグは「１」であれば、ユーザがクーポンを受け付けることを許可する旨を示している。
【００２２】
また、配信先プロファイル記憶部１２に記録されている配信先プロファイルのデータ構成について説明する。図４は配信先プロファイルのデータ構成を示す図である。この図が示すように、配信先プロファイル記憶部１２はコンテンツＩＤに対応付けて、そのコンテンツの情報を提供したコンテンツ提供主のＩＤと、当該コンテンツ提供主がの配信先として希望するアクセスポイントＩＤ、ユーザの性別、出身地、ユーザの希望するカテゴリや、またそのコンテンツの情報がクーポンであるか否かの情報や、クーポン優先配信フラグなどを記憶している。ここで、配信先プロファイルの配信先アクセスポイントＩＤはコンテンツ提供主が複数の無線ＬＡＮスポットに配信したいと希望する場合には複数記録される。またクーポン優先フラグはコンテンツの情報がクーポンである場合に、そのクーポンを優先的に情報端末５に配信することを示す情報である。
【００２３】
次に、コンテンツ配信システムの処理について図５を用いて順に説明する。
図５はコンテンツ配信システムの処理フローを示す図である。
まず、ユーザの保持する情報端末５の無線処理部５１はアクセスポイント装置４から発信される電波の到達範囲に入ると、定期的（例えば５秒おき）にアクセスポイント装置４との接続要求の無線信号を出力する（ステップＳ１）。この接続要求の無線信号には情報端末５の端末ＩＤが含まれている。そして情報端末５を保持したユーザが移動することにより、当該無線ＬＡＮスポットに設置されたアクセスポイント装置４が情報端末５の無線通信処理部５１が発する電波の到達領域に入ると、アクセスポイント装置４の接続要求検知部４３が情報端末５から発信された接続要求を検知する。
そしてアクセスポイント装置４の接続要求検知部４３では、情報端末５からの接続要求に含まれる端末ＩＤをコンテンツ配信要求部４２に転送する。次にコンテンツ配信要求部４２はアクセスポイントＩＤ記憶部４４からアクセスポイント装置４に固有のアクセスポイントＩＤを読み取り、接続要求検知部４４から受けた情報端末ＩＤと共に通信ネットワークを介してコンテンツ配信サーバ１へ送信してコンテンツ配信要求を行なう（ステップＳ２）。
【００２４】
次に、コンテンツ配信サーバ１においては、まずコンテンツ配信処理部１１が、アクセスポイント装置４からアクセスポイントＩＤと情報端末ＩＤとを含むコンテンツ配信要求を受けると、アクセスポイントＩＤと情報端末ＩＤとをマッチングサーバ３に転送して、情報端末５へ配信するコンテンツの情報の特定を行なうよう指示する（ステップＳ３）。するとマッチングサーバ３のプロファイルマッチング処理部３１は、コンテンツ配信処理部１１から受け付けた情報端末ＩＤに対応付けられてユーザプロファイル記憶部２１に記録されているユーザプロファイル（性別、出身地、ユーザの興味があるコンテンツカテゴリやクーポンを受け付けるか否かなどの情報）を読み取る。またプロファイルマッチング処理部３１はコンテンツ配信サーバ１の配信先プロフィル記憶部１２から、アクセスポイントＩＤに対応付けられて記録されているコンテンツＩＤ毎の配信先プロファイル（配信を希望するユーザの性別、出身地や、配信を希望するユーザが興味のあるコンテンツの情報のカテゴリの情報や、コンテンツの情報がクーポンであるか否かの情報やクーポン優先フラグなどの情報）を読み取る。
【００２５】
次に、プロファイルマッチング処理部３１は、ユーザプロファイル記憶部２１と配信先プロファイル記憶部１２からそれぞれ読み取ったユーザプロファイルと配信先プロファイルとの比較を行なう（ステップＳ４）。そして、例えば、ユーザプロファイルにおけるコンテンツカテゴリにおいて天気のフラグが立っており、配信先プロファイルにおいても天気のフラグが立っている場合には、プロファイルマッチング処理部３１はその配信先プロファイルに含まれるコンテンツＩＤをコンテンツ配信サーバ１に通知する（ステップＳ５）。また、配信先プロファイルにおいてコンテンツＩＤがクーポンである旨を示しており、またユーザプロファイルにおいて、ユーザがクーポンを受け付けることを許可している場合（クーポン受け付けのフラグが「１」となる場合）には、クーポンのフラグが立っている配信先プロファイルに含まれるコンテンツＩＤをコンテンツ配信サーバ１に通知する。また、ユーザプロファイルにおいて、ユーザがクーポンを受け付けることを許可していない場合にも、配信先プロファイルにおいてクーポン優先配信フラグが「１」となっていれば、その配信先プロファイルに含まれるコンテンツＩＤをコンテンツ配信サーバ１に通知する。このように、プロファイルマッチング処理部３１はユーザプロファイルと配信先プロファイルを比較して、コンテンツＩＤを決定し、当該コンテンツＩＤをコンテンツ配信サーバ１に通知する。
【００２６】
次に、コンテンツ配信サーバ１のコンテンツ配信処理部１１は、マッチングサーバ３から受け付けたコンテンツＩＤに対応付けられてコンテンツ記憶部１３に記録されているコンテンツの情報を読み取り、アクセスポイント装置４に送信する（ステップＳ６）。そして、アクセスポイント装置４のコンテンツ配信要求部４２がコンテンツの情報を受信し、無線通信処理部４１がコンテンツの情報を無線により情報端末５に送信する（ステップＳ７）。これにより、コンテンツの情報が情報端末５に配信される。
【００２７】
情報端末５はコンテンツの情報を受信すると、受信音発信部５２がコンテンツの情報の受信を検知し、受信音記憶部５３から受信音データを読み取る。そして、受信音発信部５２は読み取った受信音データを用いて受信音を発する処理を行なう。この受信音は情報端末５に備えられてスピーカから発せられる。ここで、受信音記憶部５３に記憶させる受信音データを、特定の対象をイメージするような受信音のデータにしておけば、広告などにも利用できる。例えば、ある企業のテレビコマーシャル用いられる音を受信音データを受信記憶部５３に記憶させておけば、コンテンツの情報を受信するたびに、その企業のテレビコマーシャル用の音が発せられるので、ユーザに対する企業の広告効果が得られる。また情報端末５の受信したコンテンツの情報はコンテンツ情報記憶部５４に記録される。
【００２８】
次に、コンテンツ配信システムを用いたビジネス概要について説明する。図６はコンテンツ配信システムを用いたビジネス概要を説明する図である。
本システムのコンテンツ配信サーバ１やユーザプロファイルサーバ２やマッチングサーバ３などのコンテンツ配信サーバ群は、サーバ管理業者が管理を行なう。また無線ＬＡＮスポットの管理は無線ＬＡＮキャリア（通信事業者など）が行なう。そして、コンテンツ提供主となる広告主や無線ＬＡＮスポットの場を提供するエリアオーナ（店舗など）やコンテンツ作成業者と、サーバ管理業者と無線ＬＡＮキャリアとが協働して、本システムによるサービスをユーザに提供する。
そして、まず、コンテンツ提供主がユーザへのコンテンツの情報の配信をサーバ管理業者に依頼する。そしてコンテンツ提供主はコンテンツ作成費用やサービス利用の為の費用をコンテンツ管理業者に支払う（ａ）。そしてコンテンツ管理業者はコンテンツ作成業者にコンテンツの情報の作成を依頼し、コンテンツ製作費用を支払う（ｂ）。またサーバ管理業者は無線ＬＡＮスポットを常設するにあたりその無線ＬＡＮスポットのエリアオーナに運用費用を支払う。
【００２９】
そして、サーバ管理業者はコンテンツ作成業者の作成したコンテンツの情報をコンテンツ配信サーバ１に登録し、ユーザにコンテンツの情報を配信する（ｄ）。コンテンツの情報が例えばクーポンであれば、ユーザがそのクーポンを無線ＬＡＮスポットが設置された店舗内で使用することにより、商品を購入し（ｅ）、そのクーポンのコンテンツ提供主（例えば商品の製造元）は商品の販売により得られた利益の一部をサーバ管理業者へ成功報酬として支払う（ｆ）。またサーバ管理業者はエリアオーナ（店舗）や無線ＬＡＮキャリアにロイヤルティを支払う（ｇ）。
【００３０】
また、ユーザがオンラインマネープレゼント（他のユーザからのオンラインマネー（電子マネー）のプレゼント）を受けた場合には（ｈ）、そのユーザはオンラインマネーで有料コンテンツの情報を購入し有料コンテンツの情報をダウンロードする（ｉ）。そして、サーバ管理業者は、これにより得られた利益の一部をロイヤルティとしてコンテンツプロバイダやコンテンツ提供主やエリアオーナや無線ＬＡＮキャリアに支払う（ｊ）。
【００３１】
以上、コンテンツ配信システムにおける処理の概要や当該システムを用いたビジネスについて説明したが、これにより、ユーザはクーポン券などの得する情報を無線ＬＡＮスポットで無料で得られるので、ユーザが今まで以上に無線ＬＡＮスポットを利用する契機となり、無線ＬＡＮスポットの利用促進を図ることが出来る。また上述のようなビジネスにより、サーバ管理業者だけでなく、コンテンツ提供主や無線ＬＡＮスポットのエリアオーナや無線ＬＡＮキャリアにもロイヤルティが支払われることで、コンテンツ配信サービスのビジネス拡大を図ることが出来る。
【００３２】
なお、上述の各サーバや装置は、内部にコンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
またここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の一実施形態によるコンテンツ配信システムの概略を示すブロック図である。
【図２】本実施形態のコンテンツ配信システムにおける処理の概要を示す図である。
【図３】本実施形態によるユーザプロファイルのデータ構成を示す図である。
【図４】本実施形態による配信先プロファイルのデータ構成を示す図である。
【図５】本実施形態によるコンテンツ配信システムの処理フローを示す図である。
【図６】本実施形態によるコンテンツ配信システムを用いたビジネス概要を説明する図である。
【符号の説明】
【００３５】
１・・・コンテンツ配信サーバ、２・・・ユーザプロファイルサーバ、３・・・マッチングサーバ、４・・・アクセスポイント、５・・・情報端末
【図１】
2005174106.tif 000003
【図２】
2005174106.tif 000004
【図３】
2005174106.tif 000005
【図４】
2005174106.tif 000006
【図５】
2005174106.tif 000007
【図６】
2005174106.tif 000008